(57)【要約】【課題】刃先縁に垂直な断面で見て、ガード部が刃先部に対して刃体の厚み方向の少なくとも一方の方向に弾性的に揺動の必要がなく、刃先部とガード部との間に離間区域を有することを特徴とするカミソリ刃ではなく、軟性フッ素樹脂フィルムのガード部が刃と皮膚との接触を滑らかにして剃り心地のよいカミソリ刃を提供する。【解決手段】刃体とガード部材を含み、ガード部材は複数のガード部を有し、刃体の刃先部の両表面を刃先面と定義し、２つの刃先面により構成される頂部を刃先縁と定義して、折り曲げられたガード部が刃先縁を両側から覆うことによって刃先縁が間隔を置いて部分的に露出しているカミソリ刃において、刃先縁に垂直な断面で見て、刃先部とガード部との間に離間区域は有るが刃先縁とガード部内側先端に離間区域が無いことを特徴とするカミソリ刃。【選択図】図１
2014018206.tif 000002
【特許請求の範囲】
【請求項１】
刃体とガード部材を含み、ガード部材は複数のガード部を有し、刃体の刃先部の両表面を刃先面と定義し、２つの刃先面により構成される頂部を刃先縁と定義して、折り曲げられたガード部が刃先縁を両側から覆うことによって刃先縁が間隔を置いて部分的に露出しているカミソリ刃において、刃先縁に垂直な断面で見て、刃先部とガード部との間に離間区域は有るが刃先縁とガード部内側先端に離間区域が無いことを特徴とするカミソリ刃。
【請求項２】
ガード部材が軟性フッ素樹脂であることを特長とする請求項１記載のカミソリ刃。    
【発明の詳細な説明】
【技術分野】
【０００１】
本発明は、柄に対して横方向に刃が配設された安全カミソリ又は柄の長手方向に刃が配設されたカミソリに使用されるカミソリ刃に関する。                                
【背景技術】
【０００２】
刃体とガード部材を含み、ガード部材は複数のガード部を有し、刃体の刃先部の両表面を刃先面と定義し、２つの刃先面により構成される頂部を刃先縁と定義して、折り曲げられたガード部が刃先縁を両側から覆うことによって刃先縁が間隔を置いて部分的に露出しているカミソリ刃において、刃先縁に垂直な断面で見て、ガード部が刃先部に対して刃体の厚み方向の少なくとも一方の方向に弾性的に揺動可能となるように、刃先部とガード部との間に離間区域を有することを特徴とするカミソリ刃は存在する。
【先行技術文献】
【特許文献】
【０００３】
【特許文献１】特開２００９−８９９３９号公報
【特許文献２】実開昭５４-１７５９８７号公報
【特許文献３】特開２００４−３５８１３８号公報
【発明の概要】
【発明が解決しようとする課題】
【０００４】
本発明はガード部材にステンレス板をスッポット加工しないで、刃と皮膚との接触を滑らかにして、剃り心地のよいカミソリ刃を提供することを課題とする。
【０００５】
刃先縁に垂直な断面で見て、ガード部が刃先部に対して刃体の厚み方向の少なくとも一方の方向に弾性的に揺動の必要がなく、刃先部とガード部との間に離間区域を有することを特徴とするカミソリ刃ではなく、軟性フッ素樹脂フィルムのガード部が刃と皮膚との接触を滑らかにして剃り心地のよいカミソリ刃を提供することを課題とする。
【０００６】
従来から刃をガード部で覆って刃先縁を部分的に露出させたカミソリ刃は存在している。ガード部を備えたカミソリ刃は刃先縁が全長に亘って露出していないので、一度に剃る毛の量が少なくなる分だけ皮膚の同じ場所を繰り返して剃る必要がある。しかし、一度に剃る毛の量が少ないので刃の毛から受ける抵抗が軽減され軽快に剃ることができて使用者の間で好評である。
【０００７】
従来のガード部付きカミソリ刃は前述したように好評であるが、刃と皮膚との接触がさらに滑らかで剃り心地のよいカミソリを需要者は求めている。従来のガード部付きカミソリ刃は特許文献１，２に示されているようにガード部が刃先部に固定されているものと、ステンレス揺動ガード刃がある。いずれも毛を剃るときにガード部は皮膚に対して柔軟性がないから皮膚との接触の滑らかさは十分とはいえない。
【０００８】
また、ガード部を備えたカミソリ刃でヒゲや腋毛などの毛を剃るときにガード部で覆われた刃先縁は毛を剃る作用をなさないから、皮膚の表面にはまだ剃っていない毛などの障害物が存在する。ガード部はそのような障害物を乗り越えて進むのであるが、ガード部の先端の曲率半径は大きいものでも約０．１ｍｍでほとんどのものはそれよりも小さい曲率半径である。このようにガード部の先端の曲率半径が非常に小さいので、ガード部の先端が毛などの障害物に当たったときに抵抗を受けることになり、必ずしも刃と皮膚との接触が滑らかであるとは言えない。ガード部が障害物に当たったときにガード部の先端が皮膚から離れる方向に移動すれば楽に抵抗を弱めて毛を乗り越えることができる。しかし、特許文献１，２に示されているようにガード部は刃先部に対して固定されているから、ガード部のみが刃先部に対して移動することができない。したがって、ガード部の先端を皮膚から離れる方向に移動させるためには使用者が握ったかみそりを操作しなければならない。ところが、毛を剃る際にカミソリは使用者によって皮膚に押し付けられており、ガード部が障害物を楽に乗り越えるべく使用者がカミソリを操作することはほとんど不可能である。
【０００９】
実際上、ガード部を備えたカミソリ刃を使用するときにガード部が毛などの障害物から受ける抵抗は無視できず、刃と皮膚との更なる滑らかさを有するガード部付きのカミソリが要望されていた。そこで、ガード部付きのカミソリ刃については、さらに軽快に剃ることを目的としてガード部の表面にフッ素樹脂などの滑剤を施したものが提案された（特許文献１）。しかし、ガード部の表面にフッ素樹脂などを施すと工程が増加し、フッ素樹脂の費用も加わって製造コストを上げることとなる。さらにガード部材にステンレスをスポット加工したものもあるがこれはひりつきやホロセが出来やすく評判がよくない。そこで本発明は軟性フッ素樹脂フィルムを使用して、従来のガード部付きのカミソリ刃よりも刃と皮膚との接触を滑らかで剃り心地のよいカミソリ刃を提供しようとするものである。                      
【課題を解決するための手段】
【００１０】
本発明の請求項１は、刃体とガード部材を含み、ガード部材は複数のガード部を有し、刃体の刃先部の両表面を刃先面と定義し、２つの刃先面により構成される頂部を刃先縁と定義して、折り曲げられたガード部が刃先縁を両側から覆うことによって刃先縁が間隔を置いて部分的に露出しているカミソリ刃において、ガード部材が軟性の樹脂であって刃先縁に垂直な断面で見て、刃先縁とガード部頂点内側の間に離間区域を持たない構成である。
【００１１】
請求項２は、ガード部材が軟性のフッ素樹脂である要素が請求項に付加された構成である。
【発明の効果】
【００１２】
請求項１は、刃先縁に垂直な断面で見て、ガード弧状面が皮膚と接触する事により逆弧状面となり皮膚に馴染む形状となる。刃先縁とガード部頂点内側の間に離間区域を持たない。したがって、使用中にガード部は素材の軟弾性により柔軟性をもって皮膚に接触するので皮膚との接触を滑らかにすることができる。さらに、使用中にガード部の先端が毛などの障害物に当たったときに、ガード部は障害物を乗り越えるために自然に皮膚から離れる方向に軟弾性的に吸収される。これにより、障害物を乗り越える際にガード部が受ける抵抗は軽減され、刃と皮膚との接触が滑らかになるのである。
【００１３】
軟性フッ素樹脂を使用することにより、より快適なソフト感となる。
【図面の簡単な説明】
【００１４】
【図１】カミソリ刃正面図（２倍）
【図２】折り曲げる前のガード部材正面図（２倍）
【図３】カミソリ刃の刃先付近の拡大断面図（８０倍）
【図４】カミソリ刃の刃先付近ヒゲ剃り時の拡大断面図（８０倍）
【発明を実施するための形態】
【００１５】
次に本発明の実施形態について説明する。実施形態は、図４に示すようにガード弧状面７が皮膚と接触する事により逆弧状面となり皮膚に馴染む形状となる。このような構成であると、カミソリ刃１は刃体２とガード部材３とから成る。刃体２の長さ方向に延びる一方の縁部には刃先部９が形成されている。刃先部８は縁部に沿って傾斜面状に研削された刃先面８，８で囲まれた部分を含む。両刃先面８，８のなす頂部に鋭利な刃先縁６が形成されている。刃体２はステンレス鋼の薄板で形成され長さは約５０ｍｍであり、上下方向の幅は約８ｍｍであり、厚みは約０．２５ｍｍである。ただし、この材料及び数値に限定されるものでない。刃先部９の両刃先面８，８のなす刃先面角度は刃先縁６から二段研摩となっている。
【００１６】
ガード部材３は軟性フッ素樹脂で形成されている。ポリテトラフロロエチレンが好ましいが他の軟性フッ素樹脂であっても差し支えない。ガード部材３の長さは約５０ｍｍであり、折り曲げる前の幅は約１６ｍｍであり、厚みは約０．１８ｍｍであるがこの数値に限定されるものでない。図２に示すように、上下に細長い形状に形成された１５個の窓孔１２が中心線１０上に設けられている。そして隣接する２つの窓孔１２，１２の間に残されたガード部材の部分がガード部である。ガード部７は刃先縁６を覆う部分であり、窓孔１２は刃先縁６を露出する部分である。
【００１７】
図２に示すように、前述した窓孔１２の長い方向の長さは約３、８ｍｍであり、最大幅は約２、５ｍｍである。また、ガード部７の中央部４の幅は約０、５ｍｍであり、その中央部４において直線状の両側縁１１，１１のなす角度ａは約２７°でありガード部のピッチは約３ｍｍである                        
【００１８】
図１はカミソリ刃１の刃先部８を刃先縁６に垂直な面で切った拡大断面図である。実際には、刃体２の厚みが０．２５ｍｍであり、ガード部材３の厚みが０．１８ｍｍである。ガード部７はその先端４でV字形(軟性フッ素樹脂なので限り無くVに近い)に曲がっておる。このように、ガード部材は軟性フッ素樹脂なので肌触りが非常に良い。
【００１９】
また、刃先縁６とガード部７の先端４の内面は接触している。刃体２の厚みを０．２５ｍｍとしガード部材３の厚みを０．１８ｍｍとした場合に、刃体は当然刃体刃の部分もガード材と接触している。よって肌触り剃り心地は極めて良好である。                
【００２０】
次に、図１に示すガード部材３を刃体２に取り付ける方法について説明する。まずガード部材３をプレスにて型抜き、１０の中心線にて仮曲げする。仮曲げしたガード部材を限り無くVの形状に近付ける為再度折り曲げ加工する。
【００２１】
次に、刃体２にガード部材３を取り付ける工程に移る。この行程は接着剤で張り付ける手法と溶着の手法が考えられるが、これに限定されるものではない。V曲げ加工されたガード部材３を開いた状態で接着剤を塗布し取り付け治具にセットする。次に、用意されていた刃体３を治具の所定の位置セットする。そして、ガード部材が刃先刃を巻き込む様にセットし治具で刃体を圧接する。                          
【符号の説明】
【００２２】
１カミソリ刃
２刃体
３ガード部材（軟性フッ素樹脂）
４ガード部頂点
５基線
６刃先縁
７ガード弧状面
８刃先面
９刃先刃
１０中心線
１１側縁
１２窓孔
１３通孔
【図１】
2014018206.tif 000003
【図２】
2014018206.tif 000004
【図３】
2014018206.tif 000005
【図４】
2014018206.tif 000006